(57)【要約】【課題】手作業のみではリッド着脱作業を実施できないようにした室内機ユニットのリッド取付構造を提供すること。【解決手段】外部接続部材を通す複数の打抜部２１を形成した略Ｌ字形断面形状のリッド２０が室内機ユニット１０のケーシング角部に着脱可能に取り付けられている室内機ユニットのリッド取付構造において、リッド２０をケーシング角部に固定する手段が、少なくとも一箇所のねじ止め部を備えている。【選択図】図１
2007205653.tif 000002
【特許請求の範囲】
【請求項１】
外部接続部材を通す複数の打抜部を形成した略Ｌ字形断面形状のリッドが室内機ユニットのケーシング角部に着脱可能に取り付けられている室内機ユニットのリッド取付構造において、
前記リッドを前記ケーシング角部に固定する手段が、少なくとも一箇所のねじ止め部を備えていることを特徴とする室内機ユニットのリッド取付構造。
【請求項２】
前記リッドは、前記ケーシング角部に係合する係止爪と、該係止爪の近傍に突設され係止状態で先端部がケーシング側壁面に当接する突起部とを備えていることを特徴とする請求項１に記載の室内機ユニットのリッド取付構造。
【発明の詳細な説明】
【技術分野】
【０００１】
本発明は、室内の空気を冷却、除湿または加熱して空調運転を行う空気調和装置の室内機ユニットに係り、特に、外部接続部材を通す開口部に設けられた室内機ユニットのリッド取付構造に関する。
【背景技術】
【０００２】
従来より、ヒートポンプを用いて室内の冷房運転、除湿運転及び暖房運転を行う空気調和装置が普及している。この空気調和装置は、圧縮機及び室外熱交換器を備えた室外機ユニットと、室内ファン及び室内熱交換器を備えた室内機ユニットとの間を冷媒配管で連結し、圧縮機により送出されて循環する冷媒が状態変化を繰り返すことで空気を冷却または加熱するように構成されている。
このうち、空調対象の室内に設置される室内機ユニットは、ファンモータ（電動機）を駆動源とする室内ファンの運転により吸込口から室内の空気（室内気）を導入し、この室内気を冷媒が通過する室内熱交換器で冷却または加熱して得られる空調空気を吹出口から室内に吹き出すように構成されている。
【０００３】
上述した室内機ユニットは、室外機ユニットとの間を冷媒配管や電線等の外部接続部材により連結する必要がある。このため、室外機ユニットのケーシング角部には、室内機ユニットの設置条件等に応じて最適な取出方向を現場で選択できるようにするため、外部接続部材を通す開口部となる打抜部が複数方向に設けられたリッドを着脱可能に取り付けてある。このリッドは、両端部に係止爪を備えた略Ｌ字状断面形状の板状部材であり、室内機ユニットのケーシングに対し両端部に設けた係止爪を係合させて固定するように構成されている。（たとえば、特許文献１参照）
【特許文献１】特開２０００−１７１０５３号公報
【発明の開示】
【発明が解決しようとする課題】
【０００４】
ところで、上述した従来のリッドは、弾性を有する係止爪の係止により着脱可能に固定される構造であるため、リッドの着脱操作は工具を必要としない手作業だけで容易に実施できる。
しかし、リッドを取り外して露出するケーシングの内部には、コントロールユニットの端子部等を配設することが多い。このため、上述した従来構造のリッドを採用した場合、安全上の観点から、リッドを取り外した状態で端子部等の電気部品が露出しないようにするため、リッドの内側に別部品となる内部カバーを取り付けておく必要があった。
【０００５】
また、上述した内部カバーを設けない場合には、手作業のみでリッドが容易に外れると端子部等の電気部品も露出してしまうため、リッドの着脱作業に工具の使用が義務づけられる場合もある。
本発明は、上記の事情に鑑みてなされたものであり、その目的とするところは、手作業のみではリッド着脱作業を実施できないようにした室内機ユニットのリッド取付構造を提供することにある。
【課題を解決するための手段】
【０００６】
本発明は、上記の課題を解決するため、下記の手段を採用した。
本発明に係る室内機ユニットのリッド取付構造は、外部接続部材を通す複数の打抜部を形成した略Ｌ字形断面形状のリッドが室内機ユニットのケーシング角部に着脱可能に取り付けられている室内機ユニットのリッド取付構造において、前記リッドを前記ケーシング角部に固定する手段が、少なくとも一箇所のねじ止め部を備えていることを特徴とするものである。
【０００７】
このような室内機ユニットのリッド取付構造によれば、前記リッドを前記ケーシング角部に固定する手段が、少なくとも一箇所のねじ止め部を備えているので、手作業のみでリッドを着脱するのは困難となり、従って、ドライバー等の工具が必要になる。
【０００８】
上記の発明において、前記リッドは、前記ケーシング角部に係合する係止爪と、該係止爪の近傍に突設され係止状態で先端部がケーシング側壁面に当接する突起部とを備えていることが好ましく、これにより、着脱作業に工具が必要となるねじ止めによる固定部を最少の一箇所とすることができる。しかも、係止爪が係止された状態では、突起部の先端部がケーシング側壁面に当接してリッドの弾性変形を抑制することができる。従って、ねじ止め部の着脱作業時においては、リッドが弾性変形して係止部の係合が外れてしまうことはない。
【発明の効果】
【０００９】
上述した本発明によれば、リッドをケーシング角部に固定する手段として少なくとも一箇所のねじ止め部が設けられているので、リッドを着脱する作業にはドライバー等の工具が必要となり、リッド内部に電気部品を覆う内部カバーの設置は不要となる。
また、リッドを固定する手段として、ケーシング角部に係合する係止爪を設けるとともに、係止爪の近傍に突設され係止状態で先端部がケーシング側壁面に当接する突起部を設けたので、着脱作業に工具が必要となるねじ止めの固定部を最少の一箇所にして良好な作業性を得ることができる。しかも、係止爪が係止された状態では、突起部の先端部がケーシング側壁面に当接してリッドの弾性変形を抑制するので、ねじ止め部の着脱作業時にリッドの弾性変形により係止部の係合が外れることを防止できる。
【発明を実施するための最良の形態】
【００１０】
以下、本発明に係る室内機ユニットのリッド取付構造の一実施形態を図面に基づいて説明する。
図４は、室内機ユニット１０の外観を示す斜視図である。この室内ユニット１０は、ベース１１と前面パネル１２とが一体化されることにより、各種の機器類を収納するケーシングが形成されている。
一方のベース１１には、図示しない室内熱交換器、クロスフローファン及びコントロールユニット等の各種機器が設置されている。
【００１１】
前面パネル１２には、前面及び上面のそれぞれに吸込グリル（吸込口）１３が形成されている。室内の空気（室内気）は、これら吸込グリル１３により多方向から室内ユニット１０内に吸い込まれる。また、前面パネル１２には、その下方に吹出口１４が形成されており、この吹出口１４から室内熱交換器を通って暖められた空気あるいは冷やされた空気（以下、「空調空気」と呼ぶ）が吹き出されるようになっている。なお、このような空気吸込及び空気吹出は、クロスフローファンが回転することによって行われる。
【００１２】
さて、上述した室内機ユニット１０は、図示しない室外機ユニットとの間を冷媒配管や電気配線等の外部接続部材により連結する必要がある。このため、外部接続部材が室内機ユニット１０のケーシングを貫通して通る開口部を形成するため、ケーシング下方の角部には、複数方向に開口部を選択できるようにしたリッド２０が着脱可能に取り付けられている。なお、リッド２０は、ケーシングを構成する部材のうち、ベース１１側に形成された開口部を塞ぐようにして取り付けられる。
【００１３】
リッド２０は、たとえば図２に示すように、略Ｌ字形断面形状とした樹脂製の板状部材である。このリッド２０は、ケーシングの下面及び側面となる位置から外部接続部材を通す開口部を選択して形成できるように、略Ｌ字状を形成するそれぞれの面に打抜部２１が形成されている。なお、以下の説明では、必要に応じてケーシング下面に位置する打抜部を２１ａとし、ケーシング側面の打抜部を２１ｂとして区別する。
これらの打抜部２１ａ，２１ｂは、設置現場の状況に応じて最適な外部接続部材の通路位置（取出方向）を選択し、現場で容易に切断除去して開口部を形成できるようにするため、開口部の形状に合わせた貫通溝部２２及び薄肉部２３が交互に形成されている。
【００１４】
上述したリッド２０は、下面側をベース１１にねじ止めするとともに、側面側の上部に設けた係止爪２４をベース１１の係止受部１５に係合させることにより、ケーシングの所定位置に対して実質的に固定される。また、リッド２０の固定及び着脱作業を補助するため、リッド２０の下面側にもベース側と係合する係止爪２５が設けられている。
リッド２０のねじ止めは、下面の打抜部２１ａからずらした位置にねじ穴２６を設けておき、このねじ穴２６にねじ（不図示）を通し、ベース側に設けた雌ねじ部（不図示）にねじ込むことによってなされる。ここで使用するねじは、ドライバー等の工具を使用しなければねじ込み等の操作ができないもの、すなわち手作業により取り外しができないものとする。
【００１５】
一方、係止爪２４は、図１に示すように、弾性変形により外向きの凸部２４ａが係止受部１５を乗り越えて係合するものである。また、リッド２０の内面側には、係止爪２４の近傍位置に一対の突起部２７が突設されている。この突起部２７は、リッド２０をベース１１に取り付けて係止爪２４が係合した所定の係止状態で、図３に示すように、先端部２７ａがケーシング側壁面となる突当面１６に当接するような突出高さに設定される。すなわち、樹脂製のリッド２０は、係止状態において係止爪２４の係合を係止受部１５から外す方向に弾性変形する入力を受けても、突起部２７が突当面１６に当接することで変形量が制限されるようになっている。
なお、図示の例では左右一対の突起部２７を設けてあるが、これに限定されることはない。
【００１６】
上述した構成の室内機ユニット１０は、外部接続部材の接続作業時にリッド２０を取り外す必要があり、最初に工具を使用してねじ止めのねじが取り外される。このとき、ねじを取り外す作業によりリッド２０を弾性変形させる力が作用すると、突起部２７の先端部２７ａが突当面１６に当接して変形を規制する。このため、係止爪２４の係合が係止受部１５から作業中に外れるようなことはなく、従って、たとえば室内の上部壁面に設置した室内機ユニット１０から作業中に外れて落下することもない。
続いて、ねじ止めねじを取り外した後には、リッド２０の下面に設けた係止爪２５の付近に設定された所定位置（たとえば、図１の「ＰＵＳＨ」位置）を外側から押し込む。この結果、係止爪２５の係合が外れるので、上部の係止爪２４を支点としてリッド２０を外側へ回転させる動きが可能となり、最終的には係止爪２４の係合が係止受部１５から外れるので、リッド２０をケーシングから取り外す作業は完了する。
【００１７】
また、リッド２０をケーシングに取り付ける際には、上述した取り外しと逆の順序で作業する。すなわち、上部の係止爪２４を係止受部１５に係合させ、係止爪２４を支点にしてケーシングの内側へ向けて回転させる。この結果、下側の係止爪２５が係合され、リッド２０は上下の係止爪２４，２５によりケーシングの所定位置に保持される。従って、ねじ穴２６からねじを挿入した後、工具を用いて所定位置までねじ込んでねじ止めすると、リッド２０の固定作業は完了する。
【００１８】
このように、上述した本発明によれば、リッド２０をケーシング角部に固定する手段として少なくとも一箇所のねじ止め部が設けられているので、リッド２０を着脱する作業にはドライバー等の工具が必要となる。従って、リッド２０を手作業で容易に取り外すことはできないので、リッド２０の内部に電気部品が露出しても、これを覆うための内部カバーは不要となる。
また、リッド２０を固定する手段として、ケーシング角部に係合する係止爪２４を設けるとともに、係止爪２４の近傍に突設され係止状態で先端部２７ａがケーシング側壁面の突当面１６に当接する突起部２７を設けたので、着脱作業に工具が必要となるねじ止めの固定部を最少の一箇所にして良好な作業性を得ることができる。しかも、係止爪２４が係止された状態では、突起部２７の先端部２７ａが突当面１６に当接してリッド２０の弾性変形を抑制するので、ねじ止め部の着脱作業時にリッド２０の弾性変形により係止部２４の係合が外れることはない。
【００１９】
ところで、上述した実施形態では、良好な作業性を得るため、ねじ止め部をリッド２０の下面に一箇所設けた構成としたが、複数箇所に設けたものでもよい。また、図示の例では係止爪２４を１本としたが、リッド２０の大きさ等を考慮して複数としてもよい。
なお、本発明は上述した実施形態に限定されるものではなく、たとえばケーシング角部の位置など、本発明の要旨を逸脱しない範囲内において適宜変更することができる。
【図面の簡単な説明】
【００２０】
【図１】本発明の一実施形態として室内機ユニットのリッド取付構造を示す要部の斜視図である。
【図２】図１に示すリッドの一例として、内面側から見た構成を示す斜視図である。
【図３】リッドに設けた突起部の係止状態を示す断面図（図５のＡ−Ａ断面図）である。
【図４】室内機ユニットの構成例を示す外観斜視図である。
【図５】室内機ユニットに取り付けられた状態のリッドを示す側面図である。
【符号の説明】
【００２１】
１０    室内機ユニット
１１    ベース
１２    前面パネル
１５    係止受部
１６    突当面
２０    リッド
２１    打抜部
２４，２５    係止爪
２６    ねじ穴
２７    突起部
【図１】
2007205653.tif 000003
【図２】
2007205653.tif 000004
【図３】
2007205653.tif 000005
【図４】
2007205653.tif 000006
【図５】
2007205653.tif 000007